(57)【要約】【課題】より簡単な構成で、隣接する端子固定部に固定された端子同士が接触しにくい端子台を得ること。【解決手段】端子台３０は、第１の方向および第１の方向に垂直な第２の方向に並べて配置されて、配線２０に設けられた端子２１が固定される複数の端子固定部３１と、第１の方向および第２の方向に垂直な第３の方向に沿ってねじ込まれて端子２１を端子固定部３１に固定するネジ４０と、第１の方向に沿って隣接する端子固定部３１同士は、端子２１が当接される当接面３１ａの高さが異なり、第２の方向に沿って隣接する端子固定部３１同士は、第２の方向に沿った一方側から他方側に向けて当接面３１ａの高さが高くなる。【選択図】図３
2015207459.tif 000002
【特許請求の範囲】
【請求項１】
第１の方向および第１の方向に垂直な第２の方向に並べて配置されて、配線に設けられた端子が固定される複数の端子固定部と、
前記第１の方向および前記第２の方向に垂直な第３の方向に沿ってねじ込まれて前記端子を前記端子固定部に固定するネジと、を備え
前記第１の方向に沿って隣接する前記端子固定部同士は、前記端子が当接される当接面の前記第３の方向に沿った高さが異なり、
前記第２の方向に沿って隣接する前記端子固定部同士は、前記第２の方向に沿った一方側から他方側に向けて前記第３の方向に沿った前記当接面の高さが高くなることを特徴とする端子台。
【請求項２】
前記当接面の高さが異なる前記端子固定部が前記第１の方向に沿って交互に並べられて、前記第１の方向に沿って隣接する前記端子固定部同士の前記当接面の高さを異ならせることを特徴とする請求項１に記載の端子台。
【請求項３】
前記当接面が、前記第１の方向および前記第２の方向と平行な基準面よりも前記第２の方向に沿った他方側に傾くように傾斜することを特徴とする請求項１または２に記載の端子台。
【請求項４】
前記基準面と前記当接面とがなす角度は、前記第２の方向に沿った他方側に配置される前記端子固定部のほうが大きくなることを特徴とする請求項３に記載の端子台。
【請求項５】
本体ケーシングと、
前記本体ケーシングの前面に設けられた請求項１から４のいずれか１つに記載された端子台と、
前記本体ケーシングの背面に設けられてベース基板と接続されるコネクタ接続部と、を備えるプログラマブルロジックコントローラユニット。
【発明の詳細な説明】
【技術分野】
【０００１】
本発明は、端子台およびプログラマブルロジックコントローラユニットに関する。
【背景技術】
【０００２】
プログラマブルコントローラ（ＰＬＣ）では、様々な機能を持ったユニット（プログラマブルロジックコントローラユニット）が組み合わされてシステムが構築される。ユニットには、外部機器との信号の送受信があるため、ユニットの前面にネジ式端子台を設けて、外部配線ケーブルを端子台に接続している場合が多い。ネジ式端子台においては、配線ケーブルを締付け用ネジのねじ込み方向に対して垂直に挿入する構造が採用される（例えば、特許文献１〜３を参照）。
【先行技術文献】
【特許文献】
【０００３】
【特許文献１】特開２００９−２１２０２５号公報
【特許文献２】実開昭６４−２７９７０号公報
【特許文献３】特開昭６２−１０８４７７号公報
【発明の概要】
【発明が解決しようとする課題】
【０００４】
締付け用ネジによる固定作業の容易化や、固定の安定化を図るために、配線ケーブルの端部には圧着端子等の端子が設けられている。端子台には、複数の配線ケーブルを接続できるように、端子を固定するための端子固定部が複数設けられる。複数の配線ケーブルが接続される端子台では、端子同士の電気的接触を防止する必要がある。
【０００５】
本発明は、上記に鑑みてなされたものであって、より簡単な構成で、隣接する端子固定部に固定された端子同士が接触しにくい端子台を得ることを目的とする。
【課題を解決するための手段】
【０００６】
上述した課題を解決し、目的を達成するために、本発明は、第１の方向および第１の方向に垂直な第２の方向に並べて配置されて、配線に設けられた端子が固定される複数の端子固定部と、第１の方向および第２の方向に垂直な第３の方向に沿ってねじ込まれて端子を端子固定部に固定するネジと、を備え、第１の方向に沿って隣接する端子固定部同士は、端子が当接される当接面の第３の方向に沿った高さが異なり、第２の方向に沿って隣接する端子固定部同士は、第２の方向に沿った一方側から他方側に向けて第３の方向に沿った当接面の高さが高くなることを特徴とする。
【発明の効果】
【０００７】
本発明によれば、隣接する端子固定部に固定された端子同士が接触しにくい端子台を得ることができるという効果を奏する。
【図面の簡単な説明】
【０００８】
【図１】図１は、本発明の実施の形態１にかかるプログラマブルロジックコントローラユニット（ＰＬＣユニット）の側面図である。
【図２】図２は、ネジ式端子台の正面図である。
【図３】図３は、ネジ式端子台を図２に示す矢印Ａに沿って見た図である。
【図４】図４は、図２に示すＢ−Ｂ線に沿った矢視断面図である。
【図５】図５は、図２に示すＣ−Ｃ線に沿った矢視断面図である。
【図６】図６は、変形例にかかる端子固定部を示す図であって、図２に示すＢ−Ｂ線に沿った矢視断面図である。
【発明を実施するための形態】
【０００９】
以下に、本発明の実施の形態にかかる端子台およびプログラマブルロジックコントローラユニットを図面に基づいて詳細に説明する。なお、この実施の形態によりこの発明が限定されるものではない。
【００１０】
実施の形態１．
【００１１】
図１は、本発明の実施の形態１にかかるプログラマブルロジックコントローラユニット（ＰＬＣユニット）の側面図である。ＰＬＣユニット１０は、直方体形状を呈する本体ケーシング１１の前面にネジ式端子台３０を備える。また、本体ケーシング１１の背面には、図示しないベース基板にＰＬＣユニット１０を接続するためのコネクタ１２が設けられている。
【００１２】
図２は、ネジ式端子台３０の正面図である。図３は、ネジ式端子台３０を図２に示す矢印Ａに沿って見た図である。図４は、図２に示すＢ−Ｂ線に沿った矢視断面図である。図５は、図２に示すＣ−Ｃ線に沿った矢視断面図である。なお、以下の説明において、ネジ式端子台３０を正面から見た場合の長手方向に沿った方向にＹ軸を設定し、短手方向に沿った方向にＸ軸を設定する。また、Ｘ軸およびＹ軸に直角となる方向にＺ軸を設定する。
【００１３】
ネジ式端子台３０には、図示しない外部機器と接続するための配線２０が接続される。配線２０の端部には、端子２１が圧着されて固定されている。ネジ式端子台３０は、ネジ１００で本体ケーシング１１に固定される基台３２を有する。基台３２上には、端子２１を固定するための複数の端子固定部３１が設けられている。端子固定部３１は、Ｘ軸に沿った方向（第２の方向）およびＹ軸に沿った方向（第１の方向）に並べて配置される。端子固定部３１は、基台３２上に設けられた受け座金である。
【００１４】
端子２１は、端子固定部３１の当接面３１ａと、ワッシャ３３との間に挟み込まれて固定される。端子固定部３１には、Ｚ軸に沿った正の方向（第３の方向）にネジ４０がねじ込まれて、間に端子２１を挟みこんだ状態で端子固定部３１とワッシャ３３とが固定される。配線２０は、ネジ式端子台３０に対して、Ｘ軸に沿った負の方向側（一方側）から端子固定部３１に接続される。
【００１５】
図３に示すように、Ｙ軸に沿って隣接する端子固定部３１同士は、端子２１が当接される当接面３１ａの高さが異なる。本実施の形態では、当接面３１ａの高さがＨ１＜Ｈ２と異なる端子固定部３１が交互に並べられることで、当接面３１ａの高さを異ならせている。図３に示すように高さの異なる２種類の端子固定部３１を並べてもよいし、３種類またはそれ以上の種類の高さの異なる端子固定部３１を並べてもよい。例えば、高さが低、中、高と３種類の端子固定部３１を用いた場合には、Ｙ軸に沿って低、中、高、中、低・・・と交互に並べていけばよい。
【００１６】
これにより、ネジ式端子台３０に接続されてＹ軸に沿って隣接する端子２１同士は、互いに高さがずれて固定される。したがって、端子２１同士が接触しにくくなる。
【００１７】
図４，５に示すように、Ｘ軸に沿って並べられた端子固定部３１同士は、Ｘ軸に沿った負の方向側（一方側）（配線２０が接続される側）に設けられる端子固定部３１よりも、Ｘ軸に沿った正の方向側（他方側）に設けられる端子固定部３１のほうが、当接面３１ａの位置が高くなっている。当接面３１ａの高さＨ１〜Ｈ４は、Ｈ１＜Ｈ２＜Ｈ３＜Ｈ４となる。すなわち、Ｘ軸に沿った負の方向側に設けられるいずれの端子固定部３１よりも、Ｘ軸に沿った正の方向側（他方側）に設けられる端子固定部３１のほうが、当接面３１ａの位置が高くなっている。
【００１８】
なお、本実施の形態では、Ｘ軸に沿って２列に端子固定部３１が設けられた例を挙げているが、３列以上設けた場合であっても、Ｘ軸に沿った正の方向側に設けられた端子固定部３１ほど、当接面３１ａの位置を高くする。
【００１９】
これにより、配線２０の接続方向側から見て奥にいくほど、端子固定部３１の当接面３１ａの位置が高くなる。そのため、Ｘ軸に沿って隣接する端子固定部３１に固定された端子２１同士が接触しにくくなる。
【００２０】
当接面３１ａは、Ｘ軸およびＹ軸と平行な基準面よりもＸ軸に沿った正の方向側に傾くように傾斜している。これにより、配線２０の引き出し方向を、本体ケーシング１１から前面方向側に離れる方向に規定することができる。そのため、配線２０の整頓の容易化を図ることができる。
【００２１】
基準面と当接面３１ａとがなす角度は、Ｘ軸に沿った負の方向側に設けられた端子固定部３１の当接面３１ａと基準面とがなす角度αよりも、Ｘ軸に沿った正の方向側に設けられた端子固定部３１の当接面３１ａと基準面とがなす角度βのほうが大きくなっている。
【００２２】
これにより、当接面３１ａ同士の高さの差以上に端子２１同士を離間させることができる。そのため、端子２１同士がより一層接触しにくくなる。
【００２３】
図６は、変形例にかかる端子固定部を示す図であって、図２に示すＢ−Ｂ線に沿った矢視断面図である。図６に示すように、当接面３１ａと基準面とがなす角度を統一して、配線２０の引き出し方向の統一化を図ってもよい。これにより、配線２０の整頓のより一層の容易化を図ることができる。
【００２４】
なお、本実施の形態では、当接面３１ａが基準面に対して傾斜する例を挙げて説明したが、当接面３１ａと基準面とが平行となるように構成してもよい。また、ネジ式端子台３０を、ＰＬＣユニット１０の本体ケーシング１１の前面に設ける例を挙げて説明したが、その用途はＰＬＣユニット１０に限られず、産業用のネジ式端子台として他の用途に用いることを制限するものではない。
【産業上の利用可能性】
【００２５】
以上のように、本発明にかかる端子台は、複数の配線に設けられた端子を、ネジを用いて固定する端子台に有用である。
【符号の説明】
【００２６】
１０  プログラマブルロジックコントローラユニット（ＰＬＣユニット）、１１  本体ケーシング、１２  コネクタ、２０  配線、２１  端子、３０  ネジ式端子台、３１  端子固定部、３１ａ  当接面、３２  基台、３３  ワッシャ、４０，１００  ネジ。
【図１】
2015207459.tif 000003
【図２】
2015207459.tif 000004
【図３】
2015207459.tif 000005
【図４】
2015207459.tif 000006
【図５】
2015207459.tif 000007
【図６】
2015207459.tif 000008